(57)【要約】【課題】情報記録用トラックに記録された記録情報の影響をできるだけ低減してＣ／Ｎのよいプリピット信号を得ることができる読取装置を提供する。【解決手段】グルーブ２に照射された光ビームの反射光を受光する受光器８０と、受光器８０の受光部Ａ，ＢとＣ，Ｄの差分信号（Ａ＋Ｂ）−（Ｃ＋Ｄ）を出力する減算器８１と、受光部Ａ，ＢとＣ，Ｄの出力を加算した信号（Ａ＋Ｂ＋Ｃ＋Ｄ）を波形成形し、グルーブに記録された記録情報により生じる差分信号のノイズ成分をキャンセルするグルーブピットキャンセル信号を生成する波形成形回路８２と、差分信号からグルーブピットキャンセル信号を減算し、プリピット信号として出力する減算器８３と、から構成される。【選択図】　　　図９
2004006017.tif 000002
【特許請求の範囲】
【請求項１】
情報記録用トラックと、該情報記録トラックへ光ビームを誘導するためのガイド用トラックと、前記ガイド用トラックに記録されたプリピット情報を有するとともに、前記情報記録用トラックを挟んで隣合う前記ガイド用トラックに記録された前記プリピット情報同士が半径方向において重ならないように，第１の記録パターン又は当該第１の記録パターンに対して所定の位相差を持つ第２の記録パターンのいずれかで、前記プリピット情報が一定線速度で前記ガイド用トラックに記録されている書き込み可能型光ディスクの読取装置であって、
前記光ディスクの情報記録用トラックに光ビームを照射する照射手段と、
前記光ビームの反射光を前記光ディスクの半径方向に光学的に略平行な第１の分割線及び前記情報記録トラックの接線方向に光学的に略平行な第２の分割線によって分割された受光部によって受光する受光手段と、
前記前記第１の分割線によって分割された受光部の出力の差分信号又は前記第２の分割線によって分割された受光部の出力の差分信号に基づいてガイド用トラックのプリピット情報を抽出するプリピット情報抽出手段と、
を備えたことを特徴とする光ディスクの読取装置。
【請求項２】
前記差分信号に基づいて前記プリピット情報が前記情報記録トラックの左右どちらに位置するものかを判別することを特徴とする請求項１に記載の光ディスクの読取装置。
【請求項３】
前記第２の分割線によって分割された受光部の出力の差分信号に基づいてトラッキングエラー信号を生成することを特徴とする請求項１又は２に記載の光ディスクの読取装置。
【発明の詳細な説明】
【０００１】
【発明の属する技術分野】
本発明は、書き込み可能型光ディスクの読取装置に関する。
【０００２】
【従来の技術】
書き込み可能型の光ディスクでは、位置検索のための同期信号やアドレス情報など（以下、これらの情報を「プリ情報」という）が予めプリフォーマット段階でディスク上に記録される。このプリ情報をプリフォーマットする方法としては、情報を記録するトラック（グルーブまたはランド）をウォブリングするか、あるいはトラック上にプリピットとして記録していた。
【０００３】
【発明が解決しようとする課題】
しかしながら、ウォブリングによるプリフォーマットの場合、トラック自体をウォブリング信号によって左右に振ることになるため、ウォブリング信号の変調度に制約があり、Ｃ／Ｎが悪いという問題があった。また、ウォブリングによる隣接トラックとの干渉を考慮すると、トラックピッチをあまり狭くすることができず、記録容量にも制約があった。
【０００４】
一方、プリピットによるプリフォーマットの場合、プリピットを記録する分だけ情報を記録することができなくなり、ディスク記録面の利用効率が悪いという問題があった。
【０００５】
本発明は、上記のような問題を解決するためになされた書き込み可能型光ディスクからプリピット信号を生成する読取装置であり、情報記録用トラックに記録された記録情報の影響をできるだけ低減してＣ／Ｎのよいプリピット信号を得ることができる読取装置を提供することである。
【０００６】
【課題を解決するための手段】
上記目的を達成するために、本発明に係る請求項１記載の書き込み可能型光ディスクの読取装置は、情報記録用トラックと、該情報記録トラックへ光ビームを誘導するためのガイド用トラックと、前記ガイド用トラックに記録されたプリピット情報を有するとともに、前記情報記録用トラックを挟んで隣合う前記ガイド用トラックに記録された前記プリピット情報同士が半径方向において重ならないように，第１の記録パターン又は当該第１の記録パターンに対して所定の位相差を持つ第２の記録パターンのいずれかで、前記プリピット情報が一定線速度で前記ガイド用トラックに記録されている書き込み可能型光ディスクの読取装置であって、前記光ディスクの情報記録用トラックに光ビームを照射する照射手段と、前記光ビームの反射光を前記光ディスクの半径方向に光学的に略平行な第１の分割線及び前記情報記録トラックの接線方向に光学的に略平行な第２の分割線によって分割された受光部によって受光する受光手段と、前記前記第１の分割線によって分割された受光部の出力の差分信号又は前記第２の分割線によって分割された受光部の出力の差分信号に基づいてガイド用トラックのプリピット情報を抽出するプリピット情報抽出手段と、を備える。
【０００７】
【作用】
本発明に係る請求項１記載の書き込み可能型光ディスクの読取装置によれば、照射手段は、光ディスクの情報記録用トラックに光ビームを照射する。
【０００８】
そして、受光手段は、光ビームの反射光を光ディスクの半径方向に光学的に略平行な第１の分割線及び情報記録トラックの接線方向に光学的に略平行な第２の分割線によって分割された受光部によって受光する。
【０００９】
これにより、プリピット情報抽出手段は、第１の分割線によって分割された受光部の出力の差分信号又は第２の分割線によって分割された受光部の出力の差分信号に基づいてガイド用トラックのプリピット情報を抽出する。
【００１０】
【実施例】
以下、本発明の実施例について説明する。図１は本発明に係る光ディスク（以下、ディスクと略称）の一実施例のグルーブとランド部分の略示拡大斜視図、図２はランド上に記録されるプリピットの配置状態図である。
【００１１】
図１において、１はポリカーボネートなどの透明樹脂からなるディスクであって、このディスク１の表面に情報記録用トラックたるグルーブ２と、ガイド用トラックたるランド３がディスク中心位置からディスク外周位置に向けて渦巻き状に形成されている。本発明の場合、前記グルーブ２とランド３のうち、前記ガイド用トラックを構成するランド３部分にプリピット情報を与えるプリピット４をプリフォーマットにより記録したものである。
【００１２】
図１は、発明を分かり易くするために模式的に示したものであり、グルーブ２とランド３の下面側には金属反射膜５が形成され、さらにこの下側に保護膜（図示略）が塗布されて１枚の単板ディスクとして完成されるものである。したがって、図１の場合、記録・再生用のレーザビームは図面の上側からグルーブ２とランド３に向けて照射されるものである。
【００１３】
さらに、本発明の場合、前記プリピット４は、図２（Ａ）に示すように、ランド３の１つ置きに記録している。このようにランドの１つ置きに記録するのは、次のような理由によるものである。すなわち、記録時あるいは再生時に光ピックアップがグルーブ２上をトラッキングしていく際、すべてのランドにプリピットが形成されていると、グルーブ２を挟んで左右に位置するランド３の２つのプリピット情報が同時に読み出されて干渉し、プリ情報を正確に再生することができなくなるからである。
【００１４】
なお、左右のプリピット情報の干渉をなくすための他の方法として、図２（Ｂ）に示すような方法も採用することができる。すなわち、ランド部にプリピット情報を記録するための記録パターンとして、図示するようなＥＶＥＮ（偶数）パターンと、ＯＤＤ（奇数）パターンの２つのパターンを用意し、この２つのパターンを使ってプリピット情報を記録していく方法である。
【００１５】
ＥＶＥＮパターンとＯＤＤパターンはサーボに必要なシンクＳｙやＩＤ情報を備えているが、ＥＶＥＮパターンとＯＤＤパターンで記録するシンクＳｙとＩＤの位置を１８０度ずらして配置しておく。そして、この２つのパターンのうち、通常はＥＶＥＮパターンを用いてプリピット情報を記録していき、渦巻き状にランドが記録されていく途中において隣合うランド同士の記録パターンのシンクＳｙとＩＤの位置が重なりそうになったらＯＤＤパターンに切り換えて記録を継続し、ＯＤＤパターンのシンクＳｙとＩＤの位置が重なりそうになったら再びＥＶＥＮパターンに戻して記録を継続するものである。
【００１６】
前記構造になるディスクを製造するには、図３のような方法を採用すればよい。グルーブ部にプリピットを記録した形式の従来のディスクの場合、ガラス原盤をカッティングする際、グルーブ部分をカッティングしていた。このため、従来のカッティング方法を採用した場合、グルーブ部分をカッティングした後、改めてランド部分にプリピットをカッティングしていかざるを得ず、工数がかかるとともに正確なカッティングを行なうことが困難である。
【００１７】
そこで、本発明では、レーザカッティングの際に、従来とは逆に、ランド部に記録されるプリピット情報に基づいてガラス基盤上のレジスト面を露光して現像することによりマスタースタンパを作製し、このマスタースタンパに１回の電鋳処理を施して得られるサブマスター、もしくはこのサブマスターにさらに偶数回の電鋳処理を施して得られるスタンパのいずれかを用いてレプリケーションするようにしたものである。このような方法を採用すると、原盤のカッティング処理が１回で済み、ランド上のプリピットがずれるようなこともなくなり、高精度のディスクを作ることができる。
【００１８】
図４に、前記レーザカッティングに用いるカッティングマシーンを示す。図中、１０は大出力のレーザ発生装置であって、このレーザ発生装置１０の発生するレーザビームを光変調器１１において、エンコーダ１２から送られてくるランドカッテング情報によって光変調した後、対物レンズ１３によって集光し、ガラス基盤１４のレジスト１５上にスポットを結ばせるものである。
【００１９】
ガラス基盤１４はスピンドルモータ１６にセットされており、スピンドルモータ１６は回転検出器１７、回転サーボ回路１８によって一定線速度（ＣＬＶ）で回転される。さらに、スピンドルモータ１６は、送りユニット１９によってガラス基盤１４の半径（ラジアル）方向に送り可能とされており、位置検出器２０と送りサーボ回路２１によって所定の送り速度で半径方向に送り制御することにより、ガラス基盤１４のレジスト面にディスク中心側からディスク外周側に向かって渦巻き状にランド部がカッティングされるものである。
【００２０】
図５に、前記のようにして製造されたディスクから情報を読み取るための本発明に係る読取装置の第１の実施例を示す。図において、３１は対物レンズであって、この対物レンズ３１には再生用のレーザビームがプリズム３２によって導かれ、レーザビームはビームスポットとなってディスク１の記録面上に照射される。ディスク１の記録面で反射されたレーザビームの反射光は同一経路を通ってプリズム３２に至り、そのままプリズム３２を通過して受光器３３に照射されるようになっている。
【００２１】
この実施例の場合、受光器３３は４分割型の受光器が用いられおり、後述するように、この４分割された各受光素子Ａ〜Ｄの受光出力（なお、分かり易くするため、以下の説明では各素子の受光出力もＡ〜Ｄで示す）を加減算処理することにより、ＲＦ信号、トラッキングエラー信号、ランド部のプリピット信号を読み取るものである。なお、３４〜３７は各受光素子Ａ〜Ｄに接続されたアンプ、３８〜４３および４７は加減算器である。
【００２２】
ディスク１からのレーザビームの反射光を受光する受光器３４と、ディスク１上のグルーブ２およびランド３との位置関係は、図中に拡大図Ｐとして示したような関係となっている。したがって、グルーブ２上の記録情報を読み取るには、４つの受光素子のすべての出力Ａ〜Ｄを加算して出力すればよい。図示例の場合、加算器４０の出力（Ａ＋Ｄ）と加算器４１の出力（Ｂ＋Ｃ）を加算器４３で加算することにより、端子４６からＲＦ信号（Ａ＋Ｂ＋Ｃ＋Ｄ）が出力される。
【００２３】
また、トラッキングエラー信号は、グルーブ３のトラッキング方向に沿った左右の受光素子同士の差分（Ａ＋Ｄ）−（Ｂ＋Ｃ）によって得ることができる。この場合、０次光ではなく、１次光の差分がでる。図示例の場合、加算器４０の出力（Ａ＋Ｄ）と加算器４１の出力（Ｂ＋Ｃ）を減算器４２で減算することにより、端子４５からトラッキングエラー信号（Ａ＋Ｄ）−（Ｂ＋Ｃ）として出力される。
【００２４】
また、ランド３上に記録されたプリピット情報を読み出すには、ディスクの半径方向に沿った前後の受光素子同士の差分（Ａ＋Ｂ）−（Ｃ＋Ｄ）によって得ることができる。この場合も、０次光ではなく、１次光が差分が出る。図示例の場合、加算器３８の出力（Ａ＋Ｂ）と加算器３９の出力（Ｃ＋Ｄ）を減算器４７で減算することにより、端子４４からプリピット信号（Ａ＋Ｂ）−（Ｃ＋Ｄ）として出力される。
【００２５】
拡大図Ｐ中の位置関係から分かるように、ランド３上に記録されるプリピット４はランド３の１つ置きに記録されているので、プリピット４の情報を読み出すことが可能である。もし、すべてのランドにプリピット４を記録した場合、グルーブ３の左右のランドの異なるプリピット情報が同時に読み取られてしまい、使用することができなくなる恐れがある。本発明では、このような事態を避けるために、前述したように、プリピット４をランド３の１つ置きに記録するようにしたものである。
【００２６】
なお、プリピット４をランド３の１つ置きに記録するようにした結果、図２の配置図からも明らかなように、トラックを一周した時点で、プリピット４の記録されているランド３がグルーブ２の左側（右側）から右側（左側）に変わってしまうが、この位置の変化は、前記端子４４から出力されるプリピット信号（Ａ＋Ｂ）−（Ｃ＋Ｄ）の極性が反転することによって簡単に検出することができる。
【００２７】
図６に、前記読取装置による各信号の読み取り実測例を示す。この実測例から明らかなように、ＲＦ信号、トラッキングエラー信号、プリピット信号のいずれも、充分かつ確実に読み出されていることが分かる。プリピット信号に対するＲＦ信号の影響がほとんど見られないが、これは図７に示すようなトラック溝の深さを設定しているためである。
【００２８】
図８に、本発明に係る読取装置の第２実施例を示す。この第２実施例は、スリービーム方式の読取装置であって、各ビームスポット５０，５１，５２毎にそれぞれ専用の受光器５４，５５，５６を用意したものである。５７〜７２は加減算器、７８は係数乗算器である。
【００２９】
この実施例の場合、ＲＦ信号は、加算器６８の出力（Ｆ＋Ｈ）と加算器６９の出力（Ｅ＋Ｇ）を加算器７１で加算することにより、端子７５から（Ｅ＋Ｆ＋Ｇ＋Ｈ）として出力される。
【００３０】
また、フォーカスエラー信号は、シリンドリカル・レンズ（図示略）を用いた非点収差法によって検出されており、加算器６８の出力（Ｆ＋Ｈ）と加算器６９の出力（Ｅ＋Ｇ）を減算器７２で減算することにより、端子７６から（Ｆ＋Ｈ）−（Ｅ＋Ｇ）として出力される。
【００３１】
また、プリピット信号は、加算器５７の出力（Ａ＋Ｂ）と加算器５８の出力（Ｃ＋Ｄ）を減算器６４で減算することにより、端子７３から（Ａ＋Ｂ）−（Ｃ＋Ｄ）として出力される。
【００３２】
また、トラッキングエラー信号は、次のようにして得ている。まず、加算器６１の出力（Ｆ＋Ｇ）と加算器６２の出力（Ｅ＋Ｈ）を減算器６６で減算した出力（Ｆ＋Ｇ）−（Ｅ＋Ｈ）を減算器７０の＋端子に入力する。一方、加算器５９の出力（Ｂ＋Ｃ）と加算器６０の出力（Ａ＋Ｄ）を減算器６５で減算した出力（Ｂ＋Ｃ）−（Ａ＋Ｄ）を加算器６７の一方の端子に入力するとともに、加算器６３の出力（Ｉ＋Ｊ）を加算器６７の他方の端子に入力し、この加算器６７の出力｛（Ｂ＋Ｃ）−（Ａ＋Ｄ）｝＋｛（Ｉ＋Ｊ）｝に補正用の定数Ｋ（Ｋ＝０〜１）を掛けたＫ［｛（Ｂ＋Ｃ）−（Ａ＋Ｄ）｝＋｛（Ｉ＋Ｊ）｝］を減算器７０の−端子に入力している。
【００３３】
この結果、減算器７０からは、｛（Ｆ＋Ｇ）−（Ｅ＋Ｈ）｝−（Ａ＋Ｄ）｝−Ｋ［｛（Ｂ＋Ｃ）−（Ａ＋Ｄ）｝＋｛（Ｉ＋Ｊ）｝］がトラッキングエラー信号として出力される。したがって、補正用の定数Ｋをうまく調整してやることにより、本来のトラッキングエラー信号（Ｆ＋Ｇ）−（Ｅ＋Ｈ）中に紛れ込んだランド３のプリピット４によるノイズ信号を小さくすることができる。
【００３４】
図９に、本発明に係る読取装置の第３実施例を示す。この実施例は、ディスク１への記録動作が行なわれ、グルーブ２上に情報が書き込まれたディスクにおいても、記録情報の影響をできるだけ低減してＣ／Ｎのよいプリピット信号を得ることができるようにしたものである。
【００３５】
この実施例の場合、受光器８０として４分割受光器が用いられている。なお、この実施例は、プリピット信号以外にＲＦ信号やトラッキング信号を得るために４分割型受光器を用いたが、プリピット信号のみを読み出す場合は、２分割受光器で充分である。
【００３６】
この実施例の場合、プリピット信号は次のようにして得られる。まず、受光器８０の出力Ａ〜Ｄを用いて減算器８１で本来のプリピット信号（Ａ＋Ｂ）−（Ｃ＋Ｄ）を求める。このプリピット信号（Ａ＋Ｂ）−（Ｃ＋Ｄ）中には、グルーブ２上に記録されたピット情報によるノイズ成分が含まれている。
【００３７】
そこで、このノイズ成分を打ち消すためのグルーブピットキャンセル信号を受光器８０の出力Ａ〜Ｄを用いて波形成形回路８２で作成し、減算器８３においてこのグルーブピットキャンセル信号をプリピット信号（Ａ＋Ｂ）−（Ｃ＋Ｄ）から差し引いてやることによりノイズ成分を打ち消してやるようにしたものである。
【００３８】
波形成形回路８２におけるグルーブピットキャンセル信号の生成方法を図１０を参照して説明する。いま、ランド上にはプリピットが何ら記録されておらず、グルーブ上にのみピット情報が記録されたディスクのグルーブ上をビームスポットがトラッキングしていくと、加算波形（Ａ＋Ｂ）、（Ｃ＋Ｄ）はそれぞれ図１０（Ａ），（Ｂ）のような波形となる。
【００３９】
一方、プリピット信号たるプッシュプル信号（Ａ＋Ｂ）−（Ｃ＋Ｄ）は図１０（Ｆ）のような波形となり、ランド上にプリピットが記録されていないという前提にも係わらず出力が発生してしまう。これは、グルーブ上に記録されたピット情報によるノイズ成分である。したがって、このノイズ成分をキャンセルしてやれば、グルーブ上に記録されたピット情報によるプリピット信号への影響をキャンセルすることできる。
【００４０】
そこで、図示の実施例では、まず図１０（Ａ），（Ｂ）の信号から図１０（Ｃ）のような出力信号（Ａ＋Ｂ＋Ｃ＋Ｄ）を作り、この波形を微分して図１０（Ｄ）の微分信号を求める。そして、この微分信号に基づいて図１０（Ｅ）のようなグルーブピットキャンセル信号を作成する。
【００４１】
図１０（Ｅ）のグルーブピットキャンセル信号と、図１０（Ｆ）のプッシュプル信号（Ａ＋Ｂ）−（Ｃ＋Ｄ）は同じ波形であることがわかる。そこで、図９の減算器８３において、プリピット信号たるプッシュプル信号（Ａ＋Ｂ）−（Ｃ＋Ｄ）から前記図１０（Ｅ）のグルーブピットキャンセル信号を引いてやれば、図１０（Ｇ）のようにグルーブ上に記録されているピット情報の影響を除去することができ、Ｃ／Ｎのよいプリピット信号を得ることができる。
【００４２】
図１１に、本発明に係る読取装置の第４実施例を示す。この実施例は、ディスク１へ情報を記録しながらランド部のプリピット情報を読み出すことのできる読取装置の例を示すものである。この実施例の場合、受光器９０として４分割受光器が用いられているが、前記第３実施例の場合と同じく、プリピット信号のみを読み出す場合は２分割受光器で充分である。
【００４３】
図において、９０は受光器、９１は減算器、９２はレーザビームの変調器、９３はレーザビーム発生器、９４はプリズム、９５は対物レンズ、９６は波形成形回路である。レーザビーム発生器９３から出力されるレーザビームをプリズム９４、対物レンズ９４を介してディスク１に照射される。
【００４４】
一般に、ディスクへ情報を記録する際のレーザビームのＯＮ−ＯＦＦは、図１２に示すようなパワー制御方法で行なわれている。すなわち、無記録位置でレーザパワーを０にするのではなく、読み出し用のパワーに落とすように制御されている。したがって、グルーブに情報を書き込んでいない無記録期間中であってもランド部のプリピット情報を読み出すことが可能である。
【００４５】
この実施例の場合、プリピット信号は次のようにして得られる。まず、受光器９０の出力Ａ〜Ｄから本来のプリピット信号（Ａ＋Ｂ）−（Ｃ＋Ｄ）を求める。このプリピット信号（Ａ＋Ｂ）−（Ｃ＋Ｄ）中には、グルーブ２上に記録されたピット情報によるノイズ成分が含まれている。
【００４６】
そこで、このノイズ成分を打ち消すためのグルーブピットキャンセル信号を、波形生成回路９６において変調器９２からレーザビーム発生器９３に与えられる駆動用の変調信号波形から作り、減算器９１においてこのグルーブピットキャンセル信号をプリピット信号（Ａ＋Ｂ）−（Ｃ＋Ｄ）から差し引いてやることによりノイズ成分を打ち消してやるようにしたものである。
【００４７】
波形成形回路９６におけるグルーブピットキャンセル信号の生成方法を図１３を参照して説明する。いま、ランド上にプリピットが何ら記録されていない状態において、図１３（Ａ）のような記録光によってグルーブ上にピット情報を記録していくと、受光器９０の加算波形（Ａ＋Ｂ）、（Ｃ＋Ｄ）はそれぞれ図１３（Ｂ），（Ｃ）のような波形となる。この図１３（Ｂ），（Ｃ）の波形は、加算出力が階段状に下がった位置でグルーブ上にピットが記録され、この記録ピットのために反射光の光量が該位置から低下したことを示している。
【００４８】
一方、プリピット信号たるプッシュプル信号（Ａ＋Ｂ）−（Ｃ＋Ｄ）は図１３（Ｆ）のような波形となり、ランド上にプリピットが記録されていないという前提にも係わらず出力が発生してしまう。これは、グルーブ上に記録されたピット情報によるノイズ成分である。したがって、このノイズ成分をキャンセルしてやれば、グルーブ上に記録されるピット情報によるプリピット信号への影響をキャンセルすることができる。
【００４９】
そこで、図示の実施例では、まず図１３（Ａ）の記録光を時間ｔだけ遅延した図１３（Ｄ）の遅延波形を作り、この遅延波形の後ろ側を時間ｔだけ切り詰めることにより図１３（Ｅ）のグルーブピットキャンセル信号を作る。
【００５０】
図１３（Ｅ）のグルーブピットキャンセル信号と、図１３（Ｆ）のプッシュプル信号（Ａ＋Ｂ）−（Ｃ＋Ｄ）は同じ波形であることがわかる。したがって、図１１の減算器９１において、プリピット信号たるプッシュプル信号（Ａ＋Ｂ）−（Ｃ＋Ｄ）から前記図１３（Ｅ）のグルーブピットキャンセル信号を引いてやれば、グルーブ上に記録されていくピット情報の影響を除去することができ、Ｃ／Ｎのよいプリピット信号を得ることができる。
【００５１】
なお、前記各実施例においては、トラッキング方向に沿って前後に位置する受光部のプッシュプル信号によってプリピット情報を得るようにしたが、トラッキング方向に沿って左右両側に位置する受光部のプッシュプル信号によってもプリピット情報を得ることができるものである。この場合、左右両側に位置するプッシュプル信号にはトラッキングエラーとプリピットによる信号が重畳されたものが得られるが、トラッキングエラー信号とプリピット信号とは周波数帯域が著しく異なるので、フィルタを用いることにより、容易に弁別することができる。
【００５２】
また、プリピット情報は、得られる信号の極性によりグルーブに対して左のプリピットか右のプリピットかの判別が可能である。
【００５３】
以上、本発明の実施例について説明したが、本発明はこれらの実施例に限定されるものではなく、この発明の主旨に沿った各種の変形が可能である。
【００５４】
【発明の効果】
本発明によれば、情報記録用トラックに記録された記録情報の影響をできるだけ低減してＣ／Ｎのよいプリピット信号を得ることができる。
【図面の簡単な説明】
【図１】本発明に係る光ディスクの一実施例のグルーブとランド部分の略示拡大斜視図である。
【図２】ランド上に記録されるプリピットの配置状態図である。
【図３】本発明の光ディスク製造方法の説明図である。
【図４】レーザビーム用のカッティングマシーンの構造例を示す図である。
【図５】本発明に係る読取装置の第１実施例のブロック図である。
【図６】前記読取装置による各信号の読み取り実測例を示す図である。
【図７】トラック溝の深さとプッシュプル信号およびＲＦ信号の出力特性を示す図である。
【図８】発明に係る読取装置の第２実施例を示すブロック図である。
【図９】本発明に係る読取装置の第３実施例のブロック図である。
【図１０】第３実施例におけるグルーブピットキャンセル信号の生成方法の説明図である。
【図１１】本発明に係る読取装置の第４実施例のブロック図である。
【図１２】情報記録時のレーザビームパワーの制御状態の説明図である。
【図１３】第４実施例におけるグルーブピットキャンセル信号の生成方法の説明図である。
【符号の説明】
１…ディスク
２…グルーブ
３…ランド
４…プリピット
８０…受光器
８１…減算器
８２…波形成形回路
８３…減算器
【図１】
2004006017.tif 000003
【図２】
2004006017.tif 000004
【図３】
2004006017.tif 000005
【図４】
2004006017.tif 000006
【図５】
2004006017.tif 000007
【図６】
2004006017.tif 000008
【図７】
2004006017.tif 000009
【図８】
2004006017.tif 000010
【図９】
2004006017.tif 000011
【図１０】
2004006017.tif 000012
【図１１】
2004006017.tif 000013
【図１２】
2004006017.tif 000014
【図１３】
2004006017.tif 000015